(57)【要約】      （修正有）【課題】脚に対して足首の直角を保ち、しかも足首が自由な状態で床ずれを防止する予防具を提供する。  【解決手段】弾性材によって一体成型されるもので、ふくらはぎを載せる幅と長さを有する脚置き部５を中央とし、その左右に折り曲げて起立させることによって支持側壁を構成する側壁体６を設けて基部とし、この基部の前記脚置き部の延長上に脚置き部と同じかそれに近い幅の足当て部７を形成し、この足当て部を基部との接続部付近で内側に折り曲げ、足の長さ（高さ）付近で山折りに折り返し、基部に当接したところで基部に沿って折り曲げてかかと載せ部８を形成する。【選択図】図１
2007283009.tif 000002
【特許請求の範囲】
【請求項１】
弾性材によって一体成型されるもので、ふくらはぎを載せることができる幅と長さを有する脚置き部を中央とし、その左右に折り曲げて起立させることによって支持側壁を構成する側壁体を設けて基部とし、この基部の前記脚置き部の延長上に脚置き部と同じかそれに近い幅の足当て部を形成し、この足当て部を基部との接続部付近で内側に折り曲げ、足の長さ（高さ）付近で山折りに折り返し、基部に当接したところで基部に沿って折り曲げてかかと載せ部を形成することを特徴とする床ずれ防止具。
【請求項２】
請求項１において、折り返した足当て部を側壁体に係止構造で係止したことを特徴とする床ずれ防止具。
【発明の詳細な説明】
【技術分野】
【０００１】
本発明は、かかとに発症する床ずれを防止する予防具に関する。
【背景技術】
【０００２】
従来のかかとに発症する床ずれの防止具は、足首に取付けて足首を覆ってくるぶしを含めた足首全体を保護するものであった（例えば、特許文献１参照）。
【特許文献１】特開２００２−１０２２７５号公報
【発明の開示】
【発明が解決しようとする課題】
【０００３】
しかしながら、上述した従来の技術においては、足首全体を覆ってしまうために足首がむれてしまい長時間着けておくことができないという問題がある。
また、寝たきりの病人や被介護者の場合、足の筋力が衰えて足首が直角にならずつま先が先に延びた状態になってしまい、立ち上がったときに爪先立ちのようになって足の裏で床に立つことができないことになる。ところが、上述した従来技術ではそのつま先が延びた状態になることを防ぐことができないという問題がある。
【０００４】
本発明は、このような問題を解決することを課題とするもので、脚に対して足首の直角を保ち、しかも足首が自由な状態で床ずれを防止すること目的とする。
【課題を解決するための手段】
【０００５】
そこで本発明は、弾性材によって一体成型されるもので、ふくらはぎを載せる幅と長さを有する脚置き部を中央とし、その左右に折り曲げて起立させることによって支持側壁を構成する側壁体を設けて基部とし、この基部の前記脚置き部の延長上に脚置き部と同じかそれに近い幅の足当て部を形成し、この足当て部を基部との接続部付近で内側に折り曲げ、足の長さ（高さ）付近で山折りに折り返し、基部に当接したところで基部に沿って折り曲げてかかと載せ部を形成することを特徴とする。
【発明の効果】
【０００６】
このようにした本発明は、脚置き部に脚を載せると、かかとはかかと載せ部で保持され、ふくらはぎは脚置き部で保持されることになり、脚全体の重量が均等に近い状態で分散されるために、かかとだけに大きな圧力がかかることがなく、しかも、脚および足さらに足首を拘束することがないために床ずれの発症を防ぐことができる。
さらに、足首は９０°に保持でき、さらに、折り返し部によって布団の重量が足先にかかることがなく、これによっても足首が延ばされることがないという効果が得られる。
【発明を実施するための最良の形態】
【０００７】
以下、図面を参照して本発明による実施例を説明する。
【実施例】
【０００８】
図１は実施例を示す説明図、図２は展開状態の一部破断説明図、図３は組立過程の説明図、図４は完成体の説明図である。
１は展開状態の本体であり、全一体に構成され、所定厚さのウレタンフォーム等の弾性材により一体成形した基体２を織布等による外被３によって覆ったものである。
その具体的構造の一例は、図示する如く、大略羽子板状であり、４は基部であり、この基部４はふくらはぎを載せることができる幅と長さを有する脚置き部５を中央とし、その左右に図において点線で示す個所で折り曲げて起立させることによって支持側壁を構成する側壁体６がある。なお、実物にはこのような１点鎖線は表示する必要はない。
【０００９】
７は足当て部であり、前記脚置き部５の延長上に脚置き部５と同じかそれに近い幅で形成され、基部４との接続部の１点鎖線で示す付近で内側に折り曲げ、足の長さ（高さ）付近で山折りに折り返し、基部４に当接したところで基部４に沿って折り曲げてかかと載せ部８を形成できる長さとなっている。
９は足当て部７の両側にそれぞれ取付けた係止リング等による係止具であり、例えば、前記外被３と同様な柔軟素材でループ状にして足当て部７の所定個所に取付けてある。
【００１０】
１０はこの係止具９を係止する係止ボタン等の止め具であり、基部４の側壁部６の外側端部に取付けてある。
なお、前記係止リングと係止ボタンによる係止構造はこのような構成に限るものではなく、足当て部７が側壁体６に係止できればよいものであり、例えば、係止リングの代わりに舌片状に面ファスナーの一方を取付け、係止ボタンの代わりに面ファスナーの他方を取付けた構造等どのような係止構造でもよい。
【００１１】
上述した構成の作用について説明する。
保管時、運送時は、展開した偏平状態であり、保管、運搬に具合がよい。
そこで、使用に際して、立体に組み立てるものである。その組立作業は、まず、この基部４の左右の側壁部６を折り曲げて起立させることによって支持側壁を構成する。
つぎに、足当て部７の基部４との接続部付近で内側に折り曲げて垂直に立て、足の長さ（高さ）付近で山折りに折り返して折り返し部１１とし、基部４に当接したところで基部４に沿って９０°折り曲げてかかと載せ部８を形成する。これによってかかと載せ部８は脚置き部５より足当て部７の厚さ分だけ高くなる。なお、ここで述べた垂直および９０°の値は幾何学的に正確な値である必要はなく、実際はそれに近いような値であればよいものである。
【００１２】
このように組み立た後、係止具９を止め具１０にそれぞれ止めて組立が完了する。
そこで、このようにして組み立てた床ずれ防止具を寝ている使用者の両足付近にそれぞれ置き、それぞれ脚置き部５に脚を置き、かかとをかかと載せ部８に載せると足の裏は折り返し部１１に接触し、足首を９０°に保持しながら、ふくらはぎは脚置き部５に載せることができる。
【００１３】
なお、必要に応じて、両側壁部６間の上部を図４に示す如く、取付けた紐で結わえておいてもよい。
このようにして脚置き部５に脚を載せると、かかとはかかと載せ部８で保持され、ふくらはぎは脚置き部５で保持されることになり、脚全体の重量が均等に近い状態で分散されるために、かかとだけに大きな圧力がかかることがなく、床ずれの発症を防ぐことができる。しかも、脚、足首および足を締め付けたりして拘束することがないために使用者の負担は少なく、これによっても床ずれの発症を防ぐことができることになる。
【００１４】
また、仰向けに寝ていても足首は９０°に保持され、しかも、折り返し部１１の高さによって布団の重量を支え、足先の負担がないために、これによっても足首が延ばされることがない。
【図面の簡単な説明】
【００１５】
【図１】実施例を示す説明図
【図２】展開状態の一部破断説明図
【図３】組立過程の説明図
【図４】完成体の説明図
【符号の説明】
【００１６】
１  本体
２  基体
３  外被
４  基部
５  脚置き部
６  側壁体
７  足当て部
８  かかと載せ部
９  係止具
１０  止め具
１１  折り返し部    
【図１】
2007283009.tif 000003
【図２】
2007283009.tif 000004
【図３】
2007283009.tif 000005
【図４】
2007283009.tif 000006